(57)【特許請求の範囲】
【請求項１】
天面パネルに設けた折曲線をヒンジとして起伏する開封部を設けてなるトップオープン型の紙カートンであって、側面パネルの内側に重なる折込みフラップを設け、開封部を形成する左右の破断線からそれぞれ折曲線の左右の端部に至る切込線により、折曲線の両側に、折曲線よりも後方に突出するとともに、先端部分を天面パネルと側面パネルの間の折線より外側に突き出させた形状の舌片を形成したことを特徴とする紙カートン。
【請求項２】
天面パネルに設けた折曲線をヒンジとして起伏する開封部を設けてなるトップオープン型の紙カートンであって、側面パネルの内側に重なる折込みフラップを設け、開封部を形成する左右の破断線からそれぞれ折曲線の左右の端部に至る切込線により、折曲線の両側に、折曲線よりも後方に突出するとともに、先端部分が天面パネルと側面パネルの間の折線に沿う形状の舌片を形成し、折込みフラップの上辺に開封後の舌片を係止するための切欠部を形成したことを特徴とする紙カートン。
【発明の詳細な説明】
【技術分野】
【０００１】
本発明は、板紙からなるカートンの技術分野に属し、詳しくは、菓子類を始めとして、化粧品、医療品、各種小物など収納して販売する際に好適に用いられるトップオープン型の紙カートンに関するものである。
【背景技術】
【０００２】
従来、この種の紙カートンとして、天面パネルを大きく開封して中身を取り出すトップオープン型の紙カートンが知られている。すなわち、天面パネルに２筋の破断線を設けておき、この破断線で囲まれた開封部に繋がる摘み片を引き上げることで、天面パネルの中央部を大きく開放して内容物を取り出すようになっている。ところが、このタイプの紙カートンは、開封した後で蓋を手で支えていないと、起立状態を保持することができないため、開けたままで内容物を繰り返して取り出すような場合には不便なことから、蓋を起立状態にできるようにしたものが提案されている。
【０００３】
【特許文献１】特開２００６−３６３５０号公報
【特許文献２】特開平１０−１８１７３９号公報
【特許文献３】特開２００３−１２８０５５公報
【発明の開示】
【発明が解決しようとする課題】
【０００４】
上記した特許文献１に記載の紙カートンは、両端がシールエンドであるシール形式の紙カートンであって、天面パネルに開封部を折曲げ可能とする折目を設け、その折目よりも後方へ突出する左右一対の舌片を形成し、各舌片を係止する係止片を天面パネルに設けることにより、蓋を起立状態に保持するようにしているが、蓋を開く際に蓋の開度が１８０度を越えないと、舌片が係止片を乗り越えて係止状態にはならない。したがって、開閉時に蓋を思い切り後側に倒さないとロックさせることができないことから、蓋を開けたままの状態にするための操作が煩わしいという問題点がある。
【０００５】
一方、特許文献２，３に記載の紙カートンは、特許文献１に記載の紙カートンとは異なり、いずれも蓋の開度が９０度を越えると開いたままの状態することができる。しかしながら、特許文献２に記載の紙カートンは、サック形式であるため、高速充填機の対応は不向きである上に、シール形式の紙カートンよりも多くの用紙を必要とするという問題点がある。また、特許文献３に記載の紙カートンは、シール形式ではあるが、取出し口の開いた上板とそれを覆う蓋板とを備えるため、通常のシール形式の紙カートンよりも多くの用紙を必要とする。
【０００６】
本発明は、このような問題点に鑑みてなされたものであり、その目的とするところは、通常のシール形式の紙カートンと同じサイズとすることが可能でありながら、開封部を開けて起立させるための操作を容易としたトップオープン型の紙カートンを提供することにある。
【課題を解決するための手段】
【０００８】
本発明に係る第１のタイプの紙カートンは、天面パネルに設けた折曲線をヒンジとして起伏する開封部を設けてなるトップオープン型の紙カートンであって、側面パネルの内側に重なる折込みフラップを設け、開封部を形成する左右の破断線からそれぞれ折曲線の左右の端部に至る切込線により、折曲線の両側に、折曲線よりも後方に突出するとともに、先端部分を天面パネルと側面パネルの間の折線より外側に突き出させた形状の舌片を形成したことを特徴としている。
【０００９】
本発明に係る第２のタイプの紙カートンは、天面パネルに設けた折曲線をヒンジとして起伏する開封部を設けてなるトップオープン型の紙カートンであって、側面パネルの内側に重なる折込みフラップを設け、開封部を形成する左右の破断線からそれぞれ折曲線の左右の端部に至る切込線により、折曲線の両側に、折曲線よりも後方に突出するとともに、先端部分が天面パネルと側面パネルの間の折線に沿う形状の舌片を形成し、折込みフラップの上辺に開封後の舌片を係止するための切欠部を形成したことを特徴としている。
【発明の効果】
【００１１】
本発明に係る第１のタイプの紙カートンは、折曲線をヒンジとして開封部を開けると、天面パネルの折曲線の部分が徐々に持ち上げられながら、折曲線の両側にある舌片の先端が折込みフラップの上端縁に当接して滑り、開封部が立った状態になると、紙の反発作用で天面パネルが下がろうとする動きによって舌片は折込みフラップの上端縁に係止することから、蓋の開度を１８０度としなくても、蓋を立てるだけで容易に開いた状態にすることができる。
【００１２】
本発明に係る第２のタイプの紙カートンは、折曲線をヒンジとして開封部を開けると、天面パネルの折曲線の部分が徐々に持ち上げられながら、折曲線の両側にある舌片の先端が折込みフラップの上端縁に当接して滑り、折込みフラップの切欠部のところに到達すると、紙の反発作用で天面パネルが下がろうとする動きによって舌片は折込みフラップの切欠部に落ち込んで係止するので、蓋の開度を１８０度としなくても、蓋を立てるだけで容易に開いた状態にすることができる。
【００１３】
また、本発明に係る紙カートンは、天面パネルの後方寄りに設けた折曲線をヒンジとして起伏する開封部を設けていさえすれば、どのような箱の形式でもよく、例えば、高速充填機が対応できるシール形式とすることもでき、この場合、２筋の破断線が折曲線に至るところに舌片を形成する形状の切込線を形成するだけでよいので、通常のシール形式の紙カートンと同じサイズのブランクで作製することができる。
【発明を実施するための最良の形態】
【００１４】
次に、本発明の実施の形態について図面を参照しながら詳細に説明する。
【００１５】
図１は本発明と類似する紙カートンを示す斜視図、図２は図１に示す紙カートンを組み立てるブランクの展開図である。
【００１６】
図２のブランクは、紙器用の板紙を打ち抜いて形成されたもので、図示の如く、折線ａ，ｂ，ｃ，ｄを介して前面パネル１１、底面パネル１２、背面パネル１３、天面パネル１４、フラップパネル１５が順次連設されている。そして、前面パネル１１の左右辺には折線ｅ，ｆを介してそれぞれ折込みフラップ１６が連設され、底面パネル１２の左右辺には折線ｇ，ｈを介してそれぞれ底面側の側面パネル１７が連設され、背面パネル１３の左右辺には折線ｉ，ｊを介してそれぞれ折込みフラップ１８が連設され、天面パネル１４の左右辺には折線ｋ，ｌを介してそれぞれ天面側の側面パネル１９が連設されている。
【００１７】
フラップパネル１５には、先端寄りの中央に指先大の孔部１５ａが形成され、その孔部１５ａの両サイドに突片を区画するように孔部１５ａの両端からＬ字状に延び、それに続いて末広がり状に延びる開封用の２筋の破断線Ｌ1 が形成されており、天面パネル１４には、フラップパネル１５の２筋の破断線Ｌ1 にそれぞれ連続して同じく開封用の２筋の破断線Ｌ2 が設けられている。
【００１８】
天面パネル１４には開封部を背面パネル１３と平行に折曲げ可能とする折曲線αが背面パネル１３と平行に且つ両側辺との間に所定距離を残した長さで設けられている。そして、天面パネル１４の２筋の破断線Ｌ2 は、それぞれフラップパネル１５側から背面パネル１３側に向かって側辺の途中に至るまで設けられ、その破断線Ｌ2 に繋がるとともに天面パネル１４の側辺に沿って折曲線αよりも後方まで延びてそこから折曲線αの端部まで折り返す形状で切込線βが形成され、その切込線βにより、折曲線αの両側に、折曲線αよりも後方に突出するとともに、先端部分が天面パネル１４と側面パネル１９の間の折線ｋ，ｌに掛かる形状の舌片２０が形成されている。なお、図２のブランクでは、図示のように、舌片２０の先端部分は折線ｋ，ｌの折罫より僅かに外側になるようにして切込線βを入れている。
【００１９】
上記の破断線Ｌ1 ，Ｌ2 は連続する複数の切れ刃からなっており、フラップパネル１５における２筋の破断線Ｌ1 は、末広がりの部分では開封時に内側向きの力が掛かって破断されるため、図示のように、破断進行方向で見て後側が内向きに折れ曲がった形状の切れ刃が連続しており、天面パネル１４における２筋の破断線Ｌ2 は、これも開封時に内側向きの力が掛かって破断されるため、破断進行方向で見て後側が内向きに折れ曲がった形状の切れ刃が連続している。
【００２０】
前面パネル１１には、フラップパネル１５の孔部１５ａ両側の突片に対応する位置に山形状で周りに３本の放射状切込みを有するスリット１１ａが設けられており、孔部１５ａ両側の突片を差し込んで係止できるようになっている。なお、この差込み用スリットの形状は一例であり、図示の形状に限らない。
【００２１】
図２のブランクは、フラップパネル１５の裏側を前面パネル１１の表側に貼り合わせたサック貼り状態で折り畳まれる。この時、開封部を除いた部分、すなわち破断線Ｌ1 より外側の領域で糊付けする。そして、このサック貼り状態のブランクから紙カートンを組み立てるには、まず、折り畳んだブランクを角筒状に起こした後、一方の端面側で、折込みフラップ１６，１８をそれぞれ内側に折り曲げてから、底面側の側面パネル１７と上面側の側面パネル１９を順次折り曲げて貼り合わせる。次いで、他方の端面側から内容物を投入してから、他方の端面側も同様に閉じる。このようにして図１に示す紙カートンが作製される。このように組み立てられた紙カートンは、天面パネル１４に設けた舌片２０の先端部が側面パネル１９から僅かに突き出た状態となる。
【００２２】
この第１実施形態の紙カートンを開封するに際しては、フラップパネル１５の孔部１５ａに指先を差し込んで引っ張ることでフラップパネル１５の２筋の破断線Ｌ1 を破断し、そのまま上方から後方にかけて引っ張ることで天面パネル１４の２筋の破断線Ｌ2 をそれぞれ破断線Ｌ1 に連続して破断しながら、破断された開封部を後の折曲線αのところをヒンジとして回動しつつ蓋を開ける。そして、開封部を把持して後方に向けさらに回動する。すると、天面パネル１４の折曲線αの部分が徐々に持ち上げられながら、折曲線αの両側にある舌片２０の先端が側面パネル１９の露出した上端縁に当接して滑り、開封部が立った状態になると、紙の反発作用で天面パネル１４が下がろうとする動きによって舌片２０はその先端部が側面パネル１９の露出した上端縁に係止し、図３に示すように、紙カートンは上部に大きな取出し口が形成される。また、再封する時は、開封部を閉じる方向に倒し、舌片２０の係止状態を解いてそのまま蓋をすればよい。なお、図３では内容物を省略して図示している。
【００２３】
このように開封した後、蓋として開けた開封部を元に戻し、フラップパネル１５の孔部１５ａ両側の突片を前面パネル１１のスリット１１ａに差し込んで係止することにより閉じることができる。
【００２４】
図１〜図３で説明した紙カートンでは、舌片の形状を、その先端部分が天面パネルと側面パネルの間の折線に掛かる形状形状としたが、この本発明に係る第１のタイプの紙カートンは、背面パネルに連設する折込みフラップ（図２の折込みフラップ１８）を設け、舌片の先端部分を天面パネルと側面パネルの間の折線より外側に突き出させた形状としたものである。この場合、箱形状とした時に舌片の下にその舌片に対応した形状の孔が開くが、開閉操作には問題はない。そして、この孔は折込みフラップにより内側から塞がれるので、ゴミ等がこの孔から入る心配もない。
【００２５】
この第１のタイプの紙カートンを開封するに際しては、図１〜図３に示した紙カートンと同様、フラップパネル１５の孔部１５ａに指先を差し込んで引っ張ることでフラップパネル１５の２筋の破断線Ｌ1 を破断し、そのまま上方から後方にかけて引っ張ることで天面パネル１４の２筋の破断線Ｌ2 をそれぞれ破断線Ｌ1 に連続して破断しながら、破断された開封部を後の折曲線αのところで回動しつつ蓋を開ける。そして、開封部を把持して後方に向けさらに回動する。すると、天面パネル１４の折曲線αの部分が徐々に持ち上げられながら、折曲線αの両側にある舌片２０の先端が折込みフラップ１９の上端縁に当接して滑り、開封部が立った状態になると、紙の反発作用で天面パネル１４が下がろうとする動きによって舌片２０は折込みフラップ１９の上端縁に係止し、紙カートンは上部に大きな取出し口が形成される。
【００２６】
図４は本発明に係る第２のタイプの紙カートンを組み立てるブランクの展開図である。このブランクは、図２に示すブランクとほぼ同じであるが、図２のブランクの構成に加え、背面パネル１３に連設する折込みフラップ１８の上辺に開封後の舌片を係止するための切欠部１８ａを形成している。そして、図示のように、舌片２０の先端部分は折線ｋ，ｌの折罫に沿うようにして切込線βを入れている。
【００２７】
このブランクの組立手順は前記したのと同じであり、外観も図１に示す紙カートンと略同じである。ただ、天面パネル１４に設けた舌片２０の先端部が側面パネル１９から突き出ることはない。
【００２８】
この第２のタイプの紙カートンを開封するに際しては、図１〜図３に示した紙カートンと同様、フラップパネル１５の孔部１５ａに指先を差し込んで引っ張ることでフラップパネル１５の２筋の破断線Ｌ1 を破断し、そのまま上方から後方にかけて引っ張ることで天面パネル１４の２筋の破断線Ｌ2 をそれぞれ破断線Ｌ1 に連続して破断しながら、破断された開封部を後の折曲線αのところで回動しつつ蓋を開ける。そして、開封部を把持して後側に向けさらに回動する。すると、天面パネル１４の折曲線αの部分が徐々に持ち上げられながら、折曲線αの両側にある舌片２０の先端が折込みフラップ１８の上端縁に当接して滑り、切欠部１８ａのところに達すると、紙の反発作用で天面パネル１４が下がろうとする動きによって舌片２０はその先端部が切欠部１８ａに落ち込んで係止し、図５に示すように、紙カートンは上部に大きな取出し口が形成され、蓋は後側に傾いて開いた状態となる。また、再封する時は、開封部を僅かに持ち上げて舌片２０を折込みフラップ１８の切欠部１８ａから外し、そのまま蓋をすればよい。
【００２９】
以上、本発明の実施の形態について詳細に説明してきたが、本発明による紙カートンは、上記実施の形態に何ら限定されるものではなく、本発明の趣旨を逸脱しない範囲において種々の変更が可能であることは当然のことである。
【００３０】
例えば、上記の実施形態では、両端がシールエンドであるシール形式の紙カートンで説明したが、天面パネルの後方寄りに設けた折曲線をヒンジとして起伏する開封部を設けてあり、天面パネルを大きく開封して中身を取り出すトップオープン型の紙カートンであれば、任意の形式の紙カートンに適用することができる。
【図面の簡単な説明】
【００３１】
【図１】本発明と類似する紙カートンを示す斜視図である。
【図２】図１に示す紙カートンを組み立てるブランクの展開図である。
【図３】図１の紙カートンを開封状態で示す斜視図である。
【図４】本発明に係る第２のタイプの紙カートンを組み立てるブランクの展開図である。
【図５】図４のブランクを組み立てた紙カートンを開封状態で示す斜視図である。
【符号の説明】
【００３２】
１１  前面パネル
１１ａ  スリット
１２  底面パネル
１３  背面パネル
１４  天面パネル
１５  フラップパネル
１５ａ  孔部
１６  折込みフラップ
１７  側面パネル
１８  折込みフラップ
１８ａ  切欠部
１９  側面パネル
２０  舌片
Ｌ1 ，Ｌ2   破断線
ａ〜ｌ  折線
α  折曲線
β  切込線
【図１】
0004507261.tif 000002
【図２】
0004507261.tif 000003
【図３】
0004507261.tif 000004
【図４】
0004507261.tif 000005
【図５】
0004507261.tif 000006